(57)【要約】【課題】視認性を向上させることで、２つのケース間の隙間をシール部材により確実にシールすることができる携帯端末を提供する。【解決手段】上ケース２０の溝部２１内には、組付時に下ケース３０の突出部３１により押圧されることで上ケース２０および下ケース３０の間の隙間をシールするシール部材４０が配置される。そして、シール部材４０は、組付前の上ケース２０における溝部２１内に配置されるときに視認される視認部位４３において色の属性である色相、彩度および明度のうち少なくともいずれか１つが、上ケース２０のうち溝部近傍部位２２に対して異なるように構成される。【選択図】図５
2011228373.tif 000002
【特許請求の範囲】
【請求項１】
第１ケースおよび第２ケースが組み付けられることで収容された被収容物を保護する筐体が構成される携帯端末であって、
前記第１ケースのうち組付時に前記第２ケースに接触する部位には、溝部が形成され、
前記第２ケースには、組付時に前記溝部に係合可能な突出部が当該溝部の深さよりも短く突出するように形成され、
前記溝部内には、組付時に前記突出部により押圧されることで前記第１ケースおよび前記第２ケースの間の隙間をシールするシール部材が配置され、
前記シール部材は、組付前の前記第１ケースにおける前記溝部内に配置されるときに視認される部位の少なくとも一部において色の属性である色相、彩度および明度のうち少なくともいずれか１つが、前記第１ケースのうち前記溝部近傍部位に対して異なるように構成されることを特徴とする携帯端末。
【請求項２】
前記シール部材は、前記溝部内に配置されるときに視認される部位の少なくとも一部が、前記第１ケースのうち前記溝部近傍部位の色相に対して色相環における反対色にて構成されることを特徴とする請求項１に記載の携帯端末。
【請求項３】
前記シール部材は、前記溝部内に配置されるときに視認される部位の一部が、残部の色相に対して色相環における反対色にて構成されることを特徴とする請求項１または２に記載の携帯端末。
【請求項４】
前記シール部材は、無彩色であって、かつ、組付前の前記第１ケースにおける前記溝部内に配置されるときに視認される部位の少なくとも一部において色の属性である色相、彩度および明度のうち少なくともいずれか１つが、前記第１ケースのうち前記溝部近傍部位に対して異なるように構成されることを特徴とする請求項１に記載の携帯端末。
【発明の詳細な説明】
【技術分野】
【０００１】
本発明は、２つのケースが組み付けられることで収容された被収容物を保護する筐体が構成される携帯端末に関する。
【背景技術】
【０００２】
従来、２つのケースが組み付けられることで構成される筐体にて収容された被収容物を保護するためには、両ケース間の隙間を埋めるためのゴムパッキン等のシール部材が必要となる。一般に、組付時に配置すべきシール部材がなくても２つのケースを組み付けることができるため、シール部材を配置し忘れて両ケースを組み付けてしまうと、両ケース間の隙間が埋まらないために、筐体の防塵性や防水性等の機能が低下することとなる。
【０００３】
下記特許文献１に示す携帯端末では、本体において、光学ホルダが位置する空間部は局部保護カバーで気密に保護されている。この局部保護カバーは透光性部材からなり、光学ホルダの組付け状態を外部から目視点検可能となっている。このように、透光性部材からなるケース（カバー）を採用することで、シール部材が所定の位置に配置されているか視認することができ、シール部材の配置忘れを防止することができる。
【先行技術文献】
【特許文献】
【０００４】
【特許文献１】特開２００５−３５２９７２号公報
【発明の概要】
【発明が解決しようとする課題】
【０００５】
しかしながら、両ケースのうちシール部材が配置される部位の少なくとも一部を透光性部材にて構成する必要があり、筐体として防塵性や防水性、耐久性等を持たせるためには、製造コストが増大してしまうという問題がある。また、シール部材は、添加剤としてカーボンが添加された黒色のゴム部材が多く採用されており、両ケースは、汚れを目立ちにくくするために黒色が多く採用されるために、シール部材とケースとが同系色となる場合が多い。この場合には、ケースの所定の位置にシール部材が配置されているか否かを、容易に視認することが困難である。また、上述のような透光性部材を採用したとしても、同様の課題がある。
【０００６】
本発明は、上述した課題を解決するためになされたものであり、その目的とするところは、視認性を向上させることで、２つのケース間の隙間をシール部材により確実にシールすることができる携帯端末を提供することにある。
【課題を解決するための手段】
【０００７】
上記目的を達成するため、特許請求の範囲に記載の請求項１の携帯端末では、第１ケースおよび第２ケースが組み付けられることで収容された被収容物を保護する筐体が構成される携帯端末であって、前記第１ケースのうち組付時に前記第２ケースに接触する部位には、溝部が形成され、前記第２ケースには、組付時に前記溝部に係合可能な突出部が当該溝部の深さよりも短く突出するように形成され、前記溝部内には、組付時に前記突出部により押圧されることで前記第１ケースおよび前記第２ケースの間の隙間をシールするシール部材が配置され、前記シール部材は、組付前の前記第１ケースにおける前記溝部内に配置されるときに視認される部位の少なくとも一部において色の属性である色相、彩度および明度のうち少なくともいずれか１つが、前記第１ケースのうち前記溝部近傍部位に対して異なるように構成されることを特徴とする。
【０００８】
請求項２の発明は、請求項１に記載の携帯端末において、前記シール部材は、前記溝部内に配置されるときに視認される部位の少なくとも一部が、前記第１ケースのうち前記溝部近傍部位の色相に対して色相環における反対色にて構成されることを特徴とする。
【０００９】
請求項３の発明は、請求項１または２に記載の携帯端末において、前記シール部材は、前記溝部内に配置されるときに視認される部位の一部が、残部の色相に対して色相環における反対色にて構成されることを特徴とする。
【００１０】
請求項４の発明は、請求項１に記載の携帯端末において、シール部材は、無彩色であって、かつ、組付前の前記第１ケースにおける前記溝部内に配置されるときに視認される部位の少なくとも一部において色の属性である色相、彩度および明度のうち少なくともいずれか１つが、前記第１ケースのうち前記溝部近傍部位に対して異なるように構成されることを特徴とする。
【発明の効果】
【００１１】
請求項１の発明では、第１ケースの溝部内には、組付時に第２ケースの突出部により押圧されることで第１ケースおよび第２ケースの間の隙間をシールするシール部材が配置される。そして、シール部材は、組付前の第１ケースにおける溝部内に配置されるときに視認される部位の少なくとも一部において色の属性である色相、彩度および明度のうち少なくともいずれか１つが、第１ケースのうち溝部近傍部位に対して異なるように構成される。
【００１２】
これにより、第１ケースの溝部内にシール部材を配置するときには、シール部材と溝部近傍部位との色相、彩度および明度のうち少なくともいずれか１つが異なるために当該溝部近傍部位に対してシール部材の視認性が向上するので、第１ケースの溝部内にシール部材が配置されているか否かを容易に視認することができる。
したがって、シール部材の視認性を向上させることで当該シール部材の配置忘れを防止して、２つのケース間の隙間をシール部材により確実にシールすることができる。
【００１３】
請求項２の発明では、シール部材は、溝部内に配置されるときに視認される部位の少なくとも一部が、第１ケースのうち溝部近傍部位の色相に対して色相環における反対色にて構成される。これにより、溝部近傍部位に対してシール部材の視認性がより向上するので、第１ケースの溝部内にシール部材が配置されているか否かを容易かつ確実に視認することができる。
【００１４】
請求項３の発明では、シール部材は、溝部内に配置されるときに視認される部位の一部が、残部の色相に対して色相環における反対色にて構成される。このため、例えば、シール部材の一部の色相が溝部近傍部位の色相に近い場合でも、シール部材の残部の色相が溝部近傍部位の色相に対して遠くなる。これにより、溝部近傍部位の色相にかかわらず、当該溝部近傍部位に対するシール部材の視認性を向上させることができる。
【００１５】
請求項４の発明では、請求項１に記載のシール部材に対して、当該シール部材がさらに無彩色にて構成されるため、有彩色にてシール部材を構成する場合と比較して、成形が容易になり、製造コストを低減することができる。
【図面の簡単な説明】
【００１６】
【図１】本実施形態に係る携帯端末の構成概要を示す図であり、図１（Ａ）は正面図、図１（Ｂ）は側面図である。
【図２】シール部材を溝部内に配置した上ケースを下ケース側から見た状態を示す説明図である。
【図３】図３（Ａ）は、組付前の両ケースとシール部材との位置関係を示す拡大断面図であり、図３（Ｂ）は、組付後の両ケースとシール部材との位置関係を示す拡大断面図である。
【図４】シール部材の詳細形状を示す図であり、図４（Ａ）は正面図、図４（Ｂ）は側面図である。
【図５】図２の一部を拡大して示す拡大図である。
【図６】本実施形態の第２変形例に係るシール部材の要部を示す拡大図である。
【発明を実施するための形態】
【００１７】
以下、本発明の携帯端末を具現化した一実施形態について、図面を参照して説明する。図１は、本実施形態に係る携帯端末１０の構成概要を示す図であり、図１（Ａ）は正面図、図１（Ｂ）は側面図である。
【００１８】
図１（Ａ）、（Ｂ）に示すように、携帯端末１０は、上ケース２０および下ケース３０が組み付けられることで収容された被収容物を保護する筐体１１を備えており、当該筐体１１は、例えば、ＡＢＳ樹脂等の合成樹脂により形成されている。この筐体１１内には、被収容物として、例えば、情報コードを光学的に読み取るコードリーダを構成するための制御回路や光源、レンズ、受光センサ、記憶装置等の各種電気部品が収容されている。この筐体１１内の電気的構成は、公知のコードリーダ（バーコードリーダ、二次元コードリーダ等）と同様の構成とすることができる。
【００１９】
また、上ケース２０には、上記制御回路に対して所定の情報を入力する際に操作されるファンクションキーおよびテンキー等の情報入力キー１２や、上記制御回路により制御されて所定の情報を表示するための液晶表示器１３等が配置されている。また、下ケース３０には、読取口１４が下方に向けて開口するように形成されている。さらに、筐体１１の前端部（読取口１４近傍）および後端部（情報入力キー１２近傍）は、外部からの衝撃を吸収するための緩衝ゴム１５，１６がそれぞれ装着されている。
【００２０】
次に、シール部材４０を用いた上ケース２０および下ケース３０の組み付け構成について図２〜図５を用いて説明する。図２は、シール部材４０を溝部２１内に配置した上ケース２０を下ケース３０側から見た状態を示す説明図である。図３（Ａ）は、組付前の両ケース２０，３０とシール部材４０との位置関係を示す拡大断面図であり、図３（Ｂ）は、組付後の両ケース２０，３０とシール部材４０との位置関係を示す拡大断面図である。図４は、シール部材４０の詳細形状を示す図であり、図４（Ａ）は正面図、図４（Ｂ）は側面図である。図５は、図２の一部（Ｉで示す円領域）を拡大して示す拡大図である。
【００２１】
本実施形態では、上ケース２０および下ケース３０間に、ゴムパッキン等からなるシール部材４０を設けることで、筐体１１の防塵性や防水性等の機能を確保している。具体的には、図２および図３に示すように、上ケース２０の下端部を構成する外縁のうち組付時に下ケース３０に対して環状に接触する部位には、溝部２１が上記外縁に沿い環状に形成されている。また、下ケース３０には、組付時に溝部２１に係合可能な突出部３１が当該溝部２１の深さよりも短く突出するように環状に形成されている。なお、突出部３１は、組付時にシール部材４０にのみ接触するように形成されてもよい。
【００２２】
また、シール部材４０は、図２および図４に示すように、溝部２１内に配置可能に環状に形成されている。当該シール部材４０は、図３（Ａ），（Ｂ）から分かるように、溝部２１内に配置されるとき、ねじ部材等を用いて締結する組付時に、突出部３１により押圧されることで上ケース２０および下ケース３０の間の隙間をシールするように形成されている。このシール部材４０には、外側に突出する一対の係合部４１と内側に突出する一対の係合部４２とが形成されており、これら係合部４１，４２が溝部２１に形成される凹部２１ａ，２１ｂに係合することで、溝部２１に対するシール部材４０の位置決めがなされる。
【００２３】
このシール部材４０は、組付前の溝部２１内に配置されるときに視認される部位（以下、視認部位４３ともいう）が色の属性である色相、彩度および明度のうち少なくともいずれか１つが、上ケース２０のうち溝部２１の近傍部位（以下、溝部近傍部位２２ともいう）に対して異なるように構成されている。本実施形態では、例えば、図５にて例示するように、溝部近傍部位２２を含めた上ケース２０が無彩色である黒色で構成されるときに、視認部位４３を含めたシール部材４０が無彩色であるグレー色で構成されている。なお、図５では、視認部位４３のグレー色をクロスハッチングで示し、溝部近傍部位２２の黒色をハッチングで示している。
【００２４】
これにより、溝部２１内にシール部材４０を配置するときには、シール部材４０の視認部位４３と上ケース２０の溝部近傍部位２２との色相、彩度および明度のうち少なくともいずれか１つが異なるために当該溝部近傍部位２２に対してシール部材４０の視認性が向上するので、溝部２１内にシール部材４０が配置されているか否かを容易に視認することができる。
したがって、シール部材４０の視認性を向上させることで当該シール部材４０の配置忘れを防止して、２つのケース間２０，３０の隙間をシール部材４０により確実にシールすることができる。
【００２５】
特に、シール部材４０は、無彩色にて構成されるため、有彩色にてシール部材４０を構成する場合と比較して、成形が容易になり、製造コストを低減することができる。
【００２６】
なお、シール部材４０は、視認部位４３のみがグレー色で構成されてもよいし、視認部位４３のうちの一部のみがグレー色で構成されてもよい。このようにしても、黒色である溝部近傍部位２２に対するシール部材４０の視認性を向上させることができる。この場合、シール部材４０のうち視認部位４３、または、視認部位４３のうちの一部を除く部位は、黒色で構成されてもよいし、他の色相、彩度および明度で構成されてもよい。
【００２７】
本実施形態の第１変形例として、シール部材４０は、視認部位４３が、上ケース２０の溝部近傍部位２２の色相に対して色相環における反対色にて構成されてもよい。これにより、溝部近傍部位２２に対してシール部材４０の視認性がより向上するので、上ケース２０の溝部２１内にシール部材４０が配置されているか否かを容易かつ確実に視認することができる。
【００２８】
図６は、本実施形態の第２変形例に係るシール部材４０の要部を示す拡大図である。
図６に示すように、本実施形態の第２変形例として、シール部材４０は、視認部位４３の一部４３ａが、残部４３ｂの色相に対して色相環における反対色にて構成されてもよい。なお、図６では、便宜上、視認部位４３の残部４３ｂにのみクロスハッチングを付している。
【００２９】
このため、例えば、視認部位４３の一部４３ａの色相が上ケース２０の溝部近傍部位２２の色相に近い場合でも、視認部位４３の残部４３ｂの色相が溝部近傍部位２２の色相に対して遠くなる。これにより、溝部近傍部位２２の色相にかかわらず、当該溝部近傍部位２２に対するシール部材４０の視認性を向上させることができる。
【００３０】
なお、本発明は上記実施形態に限定されるものではなく、以下のように具体化してもよく、その場合でも、上記実施形態と同等の作用・効果が得られる。
（１）本発明に係るシール部材４０を用いた組み付け構成は、上述したコードリーダに限らず、ＩＣカードやＲＦＩＤタグの情報を無線通信により読み取るＲＦＩＤリーダライタ等の携帯端末に適用されてもよい。
【００３１】
（２）溝部２１、突出部３１およびシール部材４０は、環状に形成されることに限らず、組付時に両ケース２０，３０が接触する部位の一部に設けられるようにそれぞれ形成されてもよい。
【００３２】
（３）溝部２１が下ケース３０に形成され、この溝部２１に係合可能な突出部３１が上ケース２０に形成されてもよい。この場合には、シール部材４０の視認部位４３と下ケース３０の溝部近傍部位２２との色相、彩度および明度のうち少なくともいずれか１つを異ならせることで、当該溝部近傍部位２２に対してシール部材４０の視認性が向上し、溝部２１内にシール部材４０が配置されているか否かを容易に視認することができる。
【符号の説明】
【００３３】
１０…携帯端末
１１…筐体
２０…上ケース
２１…溝部
２２…溝部近傍部位
３０…下ケース
３１…突出部
４０…シール部材
４３…視認部位
【図１】
2011228373.tif 000003
【図２】
2011228373.tif 000004
【図３】
2011228373.tif 000005
【図４】
2011228373.tif 000006
【図５】
2011228373.tif 000007
【図６】
2011228373.tif 000008